(57)【特許請求の範囲】
【請求項１】
前後両端が開口し内面が反射面とされた多角筒と、
前記多角筒の後端から前記多角筒の内孔に光を放射する光源と、
前記多角筒を、該多角筒の中心軸又は該中心軸に平行な軸を中心として回転変位させる回転変位手段と、
前記多角筒と前記光源との相対位置を前記中心軸に沿って変化させる軸方向変位手段と
を備えることを特徴とする遊技機用の電飾装置。
【請求項２】
前記多角筒は、前端の開口寸法が後端の開口寸法よりも大きい、テーパ形状である
ことを特徴とする請求項１記載の遊技機用の電飾装置。
【請求項３】
前記多角筒の前端の開口から放射される光を散乱させる散乱レンズ
を備えることを特徴とする請求項１又は２記載の遊技機用の電飾装置。
【発明の詳細な説明】
【技術分野】
【０００１】
本発明は遊技機の技術分野に属し、詳細には遊技機用の電飾装置に関する。
【背景技術】
【０００２】
光を複数の反射面にて反射させることで複雑な模様を作り出す技術としての万華鏡は、それ自体は周知である。
そして、各種の光学的な装飾に利用されているが、遊技機の技術分野では特開２００６−１３６３７７号公報（特許文献１）に遊技部品として開示されている。
【０００３】
特許文献１の遊技部品は、多数の反射板と、多数の反射板からなる反射面を互いに内側に向き合わせる組み合わせによって前側に開口した角錐形の反射空洞を形成する万華鏡箱と、角錐形の反射空洞に照射した光で万華鏡像を多数の反射板の反射面に映し出するように多数の反射板の各々に対し少なくとも１個ずつ割り当てられて配置された光源と、多数の反射板の反射面に映し出された万華鏡像を反射空洞の前側の開口から見えるように万華鏡箱を遊技盤に取り付ける取付部材とを備えた構成で、万華鏡箱が前側に開口した角錐形の反射空洞を備え、かつ、光源が多数の反射板の各々に対し少なくとも１個ずつ割り当てられて万華鏡箱の反射空洞に光を照射するので、複雑な光模様の万華鏡像を遊技者に見せることができる。
【特許文献１】特開２００６−１３６３７７号公報
【発明の開示】
【発明が解決しようとする課題】
【０００４】
しかしながら、特許文献１の遊技部品は、多数の反射板からなる反射面を互いに内側に向き合わせる組み合わせによって前側に開口した角錐形の反射空洞（万華鏡箱）を形成するので万華鏡箱の構造は複雑であり、また多数の反射板の各々に対し少なくとも１個ずつ割り当てられて配置された光源を必須とするので、光源としてＬＥＤを採用すればその個数が多数になるという欠点がある。
【０００５】
また光源の発光色を変化させたり、点滅させたりして見た目を変化させることはできるものの、本来の万華鏡における動的な変化は不可能であった。
【課題を解決するための手段】
【０００６】
請求項１の電飾装置は、
前後両端が開口し内面が反射面とされた多角筒と、
前記多角筒の後端から前記多角筒の内孔に光を放射する光源と、
前記多角筒を、該多角筒の中心軸又は該中心軸に平行な軸を中心として回転変位させる回転変位手段と、
前記多角筒と前記光源との相対位置を前記中心軸に沿って変化させる軸方向変位手段と
を備えることを特徴とする遊技機用の電飾装置である。
【０００７】
請求項１の電飾装置の多角筒は、前後両端が開口し内面が反射面とされる。この反射面は、多角筒の内面にアルミニウム等の金属をめっき、蒸着等の手法で成膜して形成できる。また、ガラス、プラスチック、金属板等を用いた鏡を多角筒の内面に貼り付けて反射面としてもよい。なお、多角筒は３角筒、４角筒、５角筒等、任意の角数（面数）にできるが、通常は万華鏡として周知の３角筒が好ましい。
【０００８】
多角筒の後端から多角筒の内孔に光を放射する光源は、例えばＬＥＤ、電球、ＥＬ（エレクトロルミネッセンス）等の電気的な発光手段であれば特段の制限無く使用できる。ただし、万華鏡の視覚効果を得るためには、この光源は点光源又は面光源であっても発光面積が小さい光源が適している。この点ではＬＥＤが好適である。
【０００９】
光源の発光色は可変（例えば多色ＬＥＤ）であっても、単色であっても、どちらでもよい。
光源の位置は、放射された光が多角筒の後端から多角筒の内孔に入射する限り、特に限定されない。例えばＬＥＤを使用するとして、その光軸を多角筒の中心軸と一致させることを要さない（そのようにしてもよいが）。
【００１０】
請求項１の電飾装置では、光源からの光が、前後両端が開口し内面が反射面とされた多角筒の後端から多角筒の内孔に放射され、回転変位手段が、多角筒の中心軸又はこの中心軸に平行な軸を中心として多角筒を回転変位させるので、多角筒の前端から観察すれば、光源からの光が回転変位する多角筒の反射面にて反射されて、周知の万華鏡の視覚効果が得られる。
【００１１】
しかも、請求項１の電飾装置では、軸方向変位手段が、多角筒と光源との相対位置を多角筒の中心軸に沿って変化させるので、つまり回転変位手段による回転と軸方向変位手段による前後方向の変化が重なるので、光源からの光の反射面への入射角度、入射位置が複雑に変化し、反射面で反射された光（一次反射光や二次反射光）の反射面への入射角度、入射位置も複雑に変化する。これにより、単なる万華鏡としての視覚効果以上の複雑な視覚効果が発揮される。
【００１２】
請求項１の電飾装置は、通常の万華鏡における以上に複雑な動的な変化（視覚効果）が可能でありながら、多角筒の形状、構造は複雑にならず、光源は最低１個で済むという構造面での利点も備えている。
【００１３】
請求項２の電飾装置は、請求項１記載の遊技機用の電飾装置において、前記多角筒を、前端の開口寸法が後端の開口寸法よりも大きい、テーパ形状にしたことを特徴としている。
【００１４】
多角筒をこのようなテーパ状（ラッパ状）にすると、反射面が観察者（遊技者）に向くので、反射面での反射光（すなわち万華鏡の像）が遊技者に観察されやすくなる。なお前端と後端の開口形状は相似形になるのが望ましいが、視覚的に相似といえる範囲であれば、デザイン等の都合で開口形状の一部を異ならせてもよい。
【００１５】
請求項３の電飾装置は、請求項１又は２記載の遊技機用の電飾装置において、前記多角筒の前端の開口から放射される光を散乱させる散乱レンズを備えることを特徴とする。
散乱レンズを備えると、光源からの光や反射光（万華鏡の像）が観察者（遊技者）の目を直射するのを防止でき、また万華鏡の像の輪郭が乱れる等の視覚効果も得られる。
【発明を実施するための最良の形態】
【００１６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の電飾装置１は、カバー２、可動ユニット３及び支持ユニット４の３部分に区分できる。
【００１７】
カバー２は箱状であり、内部は空洞で後端８は長方形の開口になっている。カバー２の前面５にはローレット状の凹凸模様が設けられており、前面５の中央部には円形の開口６が設けられている。その開口６の内側には放射筒７が連接されており、前面５（ローレット状の凹凸模様）及び放射筒７の内周面にはクロムめっきが施されている。なお、開口６には散乱レンズ（図示略）が装着される。
【００１８】
可動ユニット３は前面部材１１を備えている。前面部材１１は板状の板部１２と、板部１２の前方に突出している嵌め合わせ筒部１３とを備えている。
また可動ユニット３は背面部材１４を備えている。背面部材１４の輪郭形状は、前面部材１１と合同（ないしは相似）というわけではないが、前面部材１１と似通っている。一方、肉厚は背面部材１４の方が前面部材１１を大きく上回っている。
【００１９】
前面部材１１と背面部材１４とは、背面部材１４に立設されたボス１５に前面部材１１をビス止めすることで、板部１２と背面部材１４とが平行状になるように連結されている。
【００２０】
背面部材１４には、３本の長摺動筒３４ａ〜ｃと１本の短摺動筒３５とが設けられ、前面部材１１には短摺動筒３５と同軸になる摺動孔３６が設けられている。また、背面部材１４の背面には、縦長の係止孔３７を有するブラケット３８が一対設けられている。これら長摺動筒３４ａ〜ｃ、短摺動筒３５、摺動孔３６及びブラケット３８は、可動ユニット３と支持ユニット４との連結に使用されるが、その詳細は後述する。
【００２１】
また、前面部材１１と背面部材１４との間には３つのガイド軸受１６が配されている。ガイド軸受１６は、一対のガイド円盤１７の中心部を軸１８にて串刺し状に連結した構造である。軸１８の両端部は前面部材１１と背面部材１４とに保持されており、ガイド軸受１６は軸１８を中心にして回転自在である。
【００２２】
そして、それらガイド軸受１６は協同して、回転部材２０の軌道維持用円盤２１を保持している。詳細には、軌道維持用円盤２１の外縁部が各ガイド軸受１６のガイド円盤１７間に進入して、その外周面を軸１８に接触させている。つまり、軌道維持用円盤２１は３本の軸１８との接触により径方向の移動が規制され、対をなすガイド円盤１７間に挟まれることで軸方向の移動が規制されている。
【００２３】
但し、３本の軸１８は軌道維持用円盤２１の外周面を締め付けているわけではないし、ガイド円盤１７が軌道維持用円盤２１の外縁部を挟持、捕捉しているわけではなく、軌道維持用円盤２１は、ガイド軸受１６に保持されたまま、自身の軸を中心にして回転自在である。
【００２４】
軌道維持用円盤２１の背面には、リング状の従動ギヤ２２が連接されている。軌道維持用円盤２１と従動ギヤ２２とは中心軸を共通にしている。
従動ギヤ２２は駆動ギヤ３１と歯合している。駆動ギヤ３１は、背面部材１４の裏側に取り付けられたモータ３２の出力軸に取り付けられている。モータ３２を回転させれば、その回転力が駆動ギヤ３１及び従動ギヤ２２を介して軌道維持用円盤２１に伝達され、軌道維持用円盤２１が回転する。
【００２５】
また軌道維持用円盤２１には、反射鏡筒２３が連接されている。
反射鏡筒２３は、前端及び後端が開口（２４、２５）した三角錐台状をしている。前端開口２４及び後端開口２５は共に略三角形であるが、前端開口２４は各頂点を面取りした形状で、後端開口２５は各辺の中央部に円弧状の凹み２５ａが設けられている。
【００２６】
反射鏡筒２３は軌道維持用円盤２１を貫通しており（反射鏡筒２３の外周面が軌道維持用円盤２１に連接されている。）、軌道維持用円盤２１の後方については、従動ギヤ２２の内側及び背面部材１４に設けられている開口（図示せず）を非接触で通って、背面部材１４の後方に突出している。一方、軌道維持用円盤２１の前方にあっては、軌道維持用円盤２１の前面に筒保持部２７が連接されており、反射鏡筒２３は筒保持部２７に連接されて保持されている。反射鏡筒２３及び筒保持部２７は、中心軸を軌道維持用円盤２１と共通にしている。
【００２７】
反射鏡筒２３の内面２９及び筒保持部２７の外面はクロムめっきが施されている。つまり、反射鏡筒２３はクロムめっきによって３枚の内面２９が反射面とされており、多角筒に該当する。
【００２８】
筒保持部２７（反射鏡筒２３の前端部）は前面部材１１の嵌め合わせ筒部１３内に突出している。
電飾装置１が組上がった状態では、カバー２の放射筒７が嵌め合わせ筒部１３と筒保持部２７との間にはめ込み状になり、筒保持部２７（反射鏡筒２３の前端部）は放射筒７に内挿される。ただし、筒保持部２７と放射筒７との間には十分なクリアランスがあり、両者は接触しない。
【００２９】
上述のような構造であるから、モータ３２を回転させれば軌道維持用円盤２１が回転し、軌道維持用円盤２１と共に反射鏡筒２３及び筒保持部２７が回転する。つまり、モータ３２、駆動ギヤ３１、従動ギヤ２２及び軌道維持用円盤２１により回転変位手段が構成されている。
【００３０】
支持ユニット４はベース部４１を備えている。ベース部４１は背板４２と周壁４３とからなり、カバー２と協同して箱状のケースを構成する部材も兼ねている。
ベース部４１（背板４２）には、連結棒支持部４４が４箇所に設けられており、各々に金属製の連結棒４５が背板４２対して垂直に立設されている。連結棒４５は、可動ユニット３の長摺動筒３４ａ、３４ｂ、３４ｃ、短摺動筒３５及び摺動孔３６に１本ずつ摺動自在に挿通されている。つまり、連結棒４５を介して支持ユニット４と可動ユニット３とが連結され、可動ユニット３は連結棒４５を摺動することで支持ユニット４との距離を変化させることが可能である。
【００３１】
背板４２の中央部には４本の支柱４７が立設され、それらの頭部にはＬＥＤ４８を実装した基板４９が取り付けられている。ＬＥＤ４８は、チップ型の多色ＬＥＤであって、その光軸は反射鏡筒２３の中心軸と（設計上は）一致する。
【００３２】
基板４９を支持している支柱４７の上方には、揺動軸５１が横設されている。揺動軸５１は、ベース部４１に設けられた一対の軸受ブロック５２によって両端部を支持されており、回転自在である。
【００３３】
揺動軸５１には一対の揺動腕５３が取り付けられている。揺動腕５３と揺動軸５１とは固着されており、揺動軸５１が回れば揺動腕５３が振り子状に変位する。
揺動腕５３の片面には揺動腕５３の長手方向に沿った溝５４が設けられ、反対側の面には突起５５が設けられている。これらの突起５５は、それぞれが背面部材１４のブラケット３８の係止孔３７に挿入されて係止状態になっている。
【００３４】
また、ベース部４１にはモータ支持板６１が立設され、その片面（図２（ａ）、（ｃ）において右側）にモータ６２が取り付けられている。
モータ６２の出力軸はモータ支持板６１の反対側に突出しており、その先端部にはクランク６３が取り付けられている。クランク６３の先端部は、一方の（モータ支持板６１に近い方の）揺動腕５３の溝５４に差し込まれている。
【００３５】
このため、モータ６２を回転させるとクランク６３が回転し、その先端部が溝５４に差し込まれている揺動腕５３が、揺動軸５１を中心にして振り子状に往復変位する。この往復変位は揺動軸５１を介して他方の揺動腕５３に伝えられるので、この揺動腕５３も揺動軸５１を中心にして振り子状に往復変位する。なお、両方の揺動腕５３の往復変位は同期しており、その振幅も揃っているから、同時に後退限になり前進限になる。また、揺動腕５３の後退限は、揺動腕５３が背板４２と平行状になる位置とされ（両方の揺動腕５３が同時にこの位置になる）、往復変位の範囲はそれよりも前方になる。
【００３６】
揺動腕５３の往復変位は突起５５を介してブラケット３８すなわち可動ユニット３に伝達されるので、可動ユニット３は連結棒４５を摺動して前進、後退する。
可動ユニット３が最も後退した位置になり反射鏡筒２３がＬＥＤ４８に最接近するのは揺動腕５３が後退限になるとき（図２に示す状態）であるが、このときでも反射鏡筒２３とＬＥＤ４８とは離れている。そして、可動ユニット３が前進するに従って、反射鏡筒２３とＬＥＤ４８との距離が拡大する。
【００３７】
モータ６２、クランク６３、揺動腕５３（突起５５及び溝５４を含む）、揺動軸５１及びブラケット３８により軸方向変位手段が構成されている。
また、背板４２には、４本の連結筒４６が垂直に立設されている。連結筒４６には背板４２の背面に開口する内孔が設けられており、この内孔に挿入したビスの軸部を連結筒４６の先端から突出させてカバー２のボス（図示せず）にネジ止めすることで、支持ユニット４とカバー２とが連結される。つまり、図２に示すように支持ユニット４と可動ユニット３とを組み立ててから、可動ユニット３にカバー２を被せるようにしてカバー２とベース部４１とを合わせて、上記のように支持ユニット４とカバー２とを連結すれば、電飾装置１が完成する。
【００３８】
この電飾装置１では、ＬＥＤ４８からの光が反射鏡筒２３の後端開口２５から反射鏡筒２３の内孔に放射される。
モータ３２を回転させれば反射鏡筒２３が自身の中心軸を中心として回転する。その状態で反射鏡筒２３の前端開口２４から放射される光を観察すれば、ＬＥＤ４８からの光が回転変位する反射鏡筒２３の内面２９（反射面）にて反射されて、周知の万華鏡の視覚効果が得られる。
【００３９】
加えてモータ６２を回転させれば、反射鏡筒２３とＬＥＤ４８との距離が反射鏡筒２３の中心軸に沿って変化する。つまり反射鏡筒２３回転と前後方向の変化が重なるので、ＬＥＤ４８からの光の内面２９（反射面）への入射角度、入射位置が複雑に変化し、反射面で反射された光（一次反射光や二次反射光）の反射面への入射角度、入射位置も複雑に変化する。これにより、単なる万華鏡としての視覚効果以上の複雑な視覚効果が発揮される。
【００４０】
この実施例の電飾装置１は、通常の万華鏡では実現できない複雑な動的な変化（視覚効果）が可能でありながら、反射鏡筒２３の形状、構造は複雑にならず、光源となるＬＥＤ４８は最低の１個で済むという構造面での利点も備えている。
【００４１】
また、反射鏡筒２３は、前端開口２４の開口寸法が後端開口２５の開口寸法よりも大きい、テーパ形状（ラッパ状）になっているから、内面２９（反射面）が観察者（遊技者）に向くことになる。すると、内面２９（反射面）での反射光（すなわち万華鏡の像）が遊技者に観察されやすくなる。
【００４２】
さらに、放射筒７の内周面による反射も電飾効果を高める。
また、開口６には散乱レンズが装着されるから、ＬＥＤ４８からの光や反射光（万華鏡の像）が観察者（遊技者）の目を直射するのを防止でき、また万華鏡の像の輪郭が乱れる等の視覚効果も得られる。
【００４３】
実施例の電飾装置１は多色のＬＥＤ４８を採用しているので、その点灯色を変化させることで、視覚効果を高めることができる。
［その他］
実施例ではカバー２を備えた構造にしているが、カバー２は必須ではなく、可動ユニット３と支持ユニット４とがあれば本発明の電飾装置は成り立つ。従って、遊技機に組み付ける形態などによってはカバー無しにすることもできる。
【００４４】
同様に、散乱レンズを備えない構成とすることもできる。また、散乱レンズについては、カバー以外の部材（例えば遊技機の本体側の部材）に取り付けられてもよい。
実施例の電飾装置１は、その稼働中はＬＥＤ４８の点灯、モータ３２、６２の回転を継続する構成であるが、例えばモータ６２を停止してモータ３２のみを稼働させる、モータ３２を停止してモータ６２のみを稼働させる、ＬＥＤ４８の発光色を変化させる、ＬＥＤ４８を点滅させる等の制御を行うこともできる。
【図面の簡単な説明】
【００４５】
【図１】実施例の電飾装置の分解斜視図。
【図２】実施例の電飾装置のカバーを外した状態での平面図（ａ）、左側面図（ｂ）、正面図（ｃ）、右側面図（ｄ）。
【符号の説明】
【００４６】
１・・・電飾装置、２・・・カバー、３・・・可動ユニット、
４・・・支持ユニット、５・・・前面、６・・・開口、７・・・放射筒、
８・・・後端、１１・・・前面部材、１２・・・板部、
１３・・・嵌め合わせ筒部、１４・・・背面部材、１５・・・ボス、
１６・・・ガイド軸受、１７・・・ガイド円盤、１８・・・軸、
２０・・・回転部材、２１・・・軌道維持用円盤、２２・・・従動ギヤ、
２３・・・反射鏡筒、２４・・・前端開口、２５・・・後端開口、
２７・・・筒保持部、２９・・・内面、３１・・・駆動ギヤ、
３２・・・モータ、３４ａ、３４ｂ、３４ｃ・・・長摺動筒、
３５・・・短摺動筒、３６・・・摺動孔、３７・・・係止孔、
３８・・・ブラケット、４１・・・ベース部、４２・・・背板、
４３・・・周壁、４４・・・連結棒支持部、４５・・・連結棒、
４６・・・連結筒、４７・・・支柱、４８・・・ＬＥＤ、
４９・・・基板、５１・・・揺動軸、５２・・・軸受ブロック、
５３・・・揺動腕、５４・・・溝、５５・・・突起、
６１・・・モータ支持板、６２・・・モータ、６３・・・クランク。
【図１】
0005356715.tif 000002
【図２】
0005356715.tif 000003